(57)【要約】【課題】鳩や雀等の鳥類を傷つけることなく有効に忌避することができる鳥類の忌避スプレーを提供すること。【解決手段】スプレー容器内に、鳥の足に粘着して足の自由を奪うための粘着剤を、溶剤および噴射ガスとともに充填した。なお、前記各成分に加えて、鳥類忌避剤および／または鳥の嫌がる香料成分を添加することもでき、また粘着剤として着色したものを用いることもできる。更には、粘着剤としてアクリル系のものを用いることもできる。【選択図】      図１
2004159560.tif 000002
【特許請求の範囲】
【請求項１】
スプレー容器内に、鳥の足に粘着して足の自由を奪うための粘着剤を、溶剤および噴射ガスとともに充填したことを特徴とする鳥類の忌避スプレー。
【請求項２】
鳥類忌避剤および／または鳥の嫌がる香料成分を添加する請求項１に記載の鳥類の忌避スプレー。
【請求項３】
粘着剤として着色したものを用いる請求項１または２に記載の鳥類の忌避スプレー。
【請求項４】
粘着剤としてアクリル系のものを用いる請求項１または２または３に記載の鳥類の忌避スプレー。
【発明の詳細な説明】
【０００１】
【発明の属する技術分野】
本発明は、鳩や雀等の鳥類を傷つけることなく有効に忌避することができる鳥類の忌避スプレーに関するものである。
【０００２】
【従来の技術】
【特許文献１】特開平１１−３４６６３４号公報
【０００３】
例えば、マンション等の集合住宅や神社・お寺、あるいは各種の公共施設等において、鳩や雀等の鳥類の糞害が従来から問題になっている。即ち、ベランダ等に飛来した鳥類がベランダや手摺、あるいはベランダに干した洗濯物等を糞で汚し、居住者に多大な迷惑をかけている。
そこで、このような鳥害を防止する方法として、従来から、例えば強力な磁石をベランダに取り付けたり、目玉の絵を描いた風船や不要になったＣＤ盤をベランダに吊るしたりすることにより、鳥類を忌避する方法が提案され、実用に供されている。ところが、このような従来法では確実に鳥類を忌避することはできず、更に強力な鳥類の忌避方法の提案が望まれていた。
【０００４】
一方、特許文献１にはシート上に鳥類の忌避用粘着部を設けることにより鳥害を防止する手段が示されている。即ち、鳥類が前記忌避用粘着部を踏むと、それが足に貼り付いて足の移動がある程度拘束され、これにより鳥類に恐怖感や嫌悪感を与えてそこへ寄り付かないようにする忌避方法であり、従来法に比べてより大きな効果が期待できるものである。
しかしながら、特許文献１のものは先ずシート材を貼りつけ、その表面に忌避用粘着部を設けるものであるため、作業が複雑で長時間要するという問題点があった。また、狭い場所や高い場所でシート材の貼りつけと忌避用粘着部の形成を行うことは難しく、実際にはベランダの手摺のような部分にしか適用することができないという問題点があった。
【０００５】
【発明が解決しようとする課題】
本発明は上記のような従来の問題点を解決して、鳩や雀等の鳥類を傷つけることなく有効に忌避することができ、しかも狭い場所や高い場所を含めてどんな場所にも簡単かつ即座に鳥類の忌避用粘着部の形成を行うことができる鳥類の忌避スプレーを提供することを目的として完成されたものである。
【０００６】
【課題を解決するための手段】
上記の課題を解決するためになされた本発明の鳥類の忌避スプレーは、スプレー容器内に、鳥の足に粘着して足の自由を奪うための粘着剤を、溶剤および噴射ガスとともに充填したことを特徴とするものである。
【０００７】
なお、前記各成分に加えて、鳥類忌避剤および／または鳥の嫌がる香料成分を添加することもでき、これを請求項２に係る発明とし、また粘着剤として着色したものを用いることもできこれを請求項３に係る発明とする。更には、粘着剤としてアクリル系のものを用いることもできこれを請求項４に係る発明とする。
【０００８】
【発明の実施の形態】
以下に、本発明の好ましい実施の形態を示す。
本発明は、鳥の足に粘着して足の自由を奪うための粘着剤を自在に噴霧することができるエアゾール式スプレーであって、スプレー容器自体の構造は従来のものと基本的に同じである。そして本発明は、スプレー容器内に、鳥の足に粘着して足の自由を奪うための粘着剤を、溶剤および噴射ガスとともに充填した点に特徴を有するものである。
【０００９】
鳥の足に粘着して足の自由を奪うための粘着剤は、具体的には粘度が２０００〜４０００ｃｐｓ／２５℃の永久接着タイプのアクリル系粘着剤（例えば、日本合成化学工業の「コーポニール８１３７」）を用いることが好ましい。その他、天然ゴム系、ＳＢＲ系粘着剤や、ポリイソブチレン、ポリウレタン、塩化ビニル等からなる粘着剤を用いることもできる。また溶剤としては、トルエン、キシレン、酢酸エチル等を用いる。噴射ガスとしては、ＤＭＥ（ジメチルエーテル）を用いる。
このような各成分の配合量は、粘着剤が５５〜７５重量％、溶剤が５〜１５重量％、噴射ガスが１５〜３０重量％である。
【００１０】
その他、鳩リペラントのような鳥類忌避剤および／または鳥の嫌がる香料成分を添加することもでき、この場合には鳥類の忌避効果を相乗的に高めることができ好ましい。配合量は、それぞれ１〜５重量％である。
【００１１】
また、粘着剤として鳥類が識別可能な色に着色したものを用いることもでき、この場合には鳥類が粘着剤を色により確認して避けようとするので、忌避効果を高めることが期待できる。特に、粘着剤の表面に塵や埃等が付着して粘着効果が低下した場合にも、鳥類が粘着剤を色で識別して避けようとすることが予想され忌避効果が期待できる。
【００１２】
図１は、本発明のスプレーを使用してベランダの手摺１０の上面に粘着層１を形成した状態を示すものである。本発明では、粘着層１を形成したい場所に向けスプレーを噴射するのみで簡単かつ確実に粘着層１を形成することができることとなり、極めて使い勝手に優れたものである。また、スプレーを噴射するのみであるため狭い場所や高い場所においても、簡単かつ確実に粘着層１を形成することができ、あらゆる場所の鳥害防止を図ることが可能である。
【００１３】
このようにして形成した粘着層１を鳥類が踏むと、それが足に貼り付いて足の移動がある程度拘束されることとなり、この結果、鳥類に恐怖感や嫌悪感を与えることとなって鳥類は二度とそこへ寄り付かないようなる。しかも、前記粘着層１は、足の移動をある程度拘束する程度の粘着力であり、鳥が前のめりになって倒れたり再び飛び立つことができないという不都合もなく、鳥を傷つけるおそれがないので、動物愛護のめんでも好ましい。
【００１４】
図２〜図７は粘着層１の各種の塗布パターンを示すものである。図１に示すように、全面にスプレー塗布してもよいが、１本あるいは複数本の直線状にスプレー塗布したもの（図２、図３参照）、ジグザグ状あるいは波状にスプレー塗布したもの（図４、図５参照）、格子状にスプレー塗布したもの（図６参照）、ドット状にスプレー塗布したもの（図７参照）等、様々なパターンを採用することができる。これらの場合には、全面スプレーに比べて塗布量を大幅に削減することができることとなる。
なお、粘着層１の形成は直接に被塗布面にスプレーして形成する他、被塗布面に布テープ等を先に貼着し、あるいは樹脂フィルムを両面テープで固定しておきその表面にスプレー塗布して形成することもできる。この場合は、粘着層１が必要なくなった際、簡単に現状復帰ができることとなる。
【００１５】
【発明の効果】
以上の説明からも明らかなように、本発明は鳩や雀等の鳥類を傷つけることなく有効に忌避することができ、しかも狭い場所や高い場所を含めてどんな場所にも簡単かつ即座に鳥類の忌避用粘着部の形成を行うことができるものである。
よって本発明は従来の問題点を一掃した鳥類の忌避スプレーとして、産業の発展に寄与するところは極めて大である。
【図面の簡単な説明】
【図１】本発明をベランダの手摺に使用した状態示す斜視図である。
【図２】粘着層のパターンの一例を示す平面図である。
【図３】粘着層のパターンのその他の例を示す平面図である。
【図４】粘着層のパターンのその他の例を示す平面図である。
【図５】粘着層のパターンのその他の例を示す平面図である。
【図６】粘着層のパターンのその他の例を示す平面図である。
【図７】粘着層のパターンのその他の例を示す平面図である。
【符号の説明】
１  手摺
１０  粘着層
【図１】
2004159560.tif 000003
【図２】
2004159560.tif 000004
【図３】
2004159560.tif 000005
【図４】
2004159560.tif 000006
【図５】
2004159560.tif 000007
【図６】
2004159560.tif 000008
【図７】
2004159560.tif 000009